(57)【要約】【課題】圧電素子の振動が均一に弾性体に伝達されるステーターを提供する。【解決手段】圧電体２に環状扇形の複数の分極領域１５が円環状に配置されてなる圧電素子１０、円環状の金属製弾性体３と、配線基板４との間に狭持された状態で積層されてなり、複数の分極領域は、円環を直径方向に横断する直線２００によって分割される二つの円弧状領域（２１、２２）のそれぞれに線対称となるように配置され、圧電体には電極がなく、弾性体は、一方の面に放射方向に等角度間隔で複数のスリット３１が形成され、他方の面が円環状の分極領域の配置領域に積層され、配線基板は、圧電素子に積層される面に、二つの円弧状領域に対面する二つの駆動用配線パターン（４２、４４）と、いずれの分極領域にも対面しない接地用配線パターン４３とが形成され、接地用配線パターンと弾性体とが導通されているステーター１としている。【選択図】図４
2020127348.tif 000002
【特許請求の範囲】
【請求項１】
平板状の圧電体に環状扇形の複数の分極領域が円環状に配置されてなる圧電素子が、金属からなる弾性体と、シート状の基材の一主面に配線パターンが形成されてなる配線基板との間に狭持された状態で積層されてなるステーターであって、
前記複数の分極領域は、円環状に配置された領域を直径方向に横断する直線によって分割される二つの円弧状領域のそれぞれに、同じ数となるように、当該直線に対して線対称に配置され、
前記圧電体の表裏両面には電極が形成されておらず、
前記弾性体は、円環状で、表裏一方の面に放射方向に等角度間隔で複数のスリットが形成されているとともに、表裏他方の面が、前記圧電素子における円環状の前記分極領域の配置領域に接着剤の層を介して積層され、
前記配線基板は、前記基材において、前記圧電素子に積層される側の面に前記配線パターンが形成されてなり、
前記配線パターンは、二つの前記円弧状領域に対面する二つの駆動用配線パターンと、いずれの分極領域にも対面しない接地用配線パターンとからなり、
前記接地用配線パターンと前記弾性体とが導通されてなる、
ことを特徴とするステーター。
【請求項２】
請求項１に記載のステーターであって、
前記圧電体は、円環状で、
前記配線基板の基材は、円環の一部が放射外方向に突出する形状に形成され、
前記駆動用配線パターンは、前記円弧状領域に対面しつつ、前記基材において放射方向に突出する領域にて前記放射外方向に突出する形状を有し、
前記接地用電極は、前記基材において放射方向に突出する領域にて放射外方向に突出する形状を有している、
ことを特徴とするステーター。
【請求項３】
請求項１または請求項２に記載のステーターであって、前記圧電体の表裏両面が研磨されていることを特徴とするステーター。
【請求項４】
請求項１〜請求項３のいずれか一項に記載のステーターであって、前記配線基板は、駆動信号用の前記二つの配線パターンの端部間の領域に環状扇形の配線パターンが形成されていることを特徴とするステーター。
【請求項５】
請求項１〜請求項４のいずれか一項に記載のステーターと、前記弾性体において前記スリットが形成されている面に接触した状態で配置されるローターとを備えたことを特徴とするモーター。
【請求項６】
平板状の圧電体に環状扇形の複数の分極領域が円環状に配置されてなる圧電素子が、金属からなる弾性体と、シート状の基材の一主面に配線パターンが形成されてなる配線基板との間に狭持された状態で積層されてなるステーターの製造方法であって、
圧電体の表裏一方の面に、複数の円環扇形の電極を円環状に並べて形成するとともに、当該圧電体の表裏他方の面に、前記複数の円環扇形の電極が形成される円環状の領域に対面する円環状の電極を形成する電極形成ステップと、
前記複数の円環扇形の電極のそれぞれと、前記円環状の電極との間に電界を印加して前記円環扇形の電極の形成領域を分極させる分極ステップと、
前記複数の円環扇形の電極と前記円環状の電極とを除去して前記圧電素子を得る電極除去ステップと、
前記圧電素子の表裏一方の面に前記弾性体を積層して接着する弾性体接着ステップと、
前記圧電素子の表裏他方の面に前記配線基板を積層して接着する配線基板接着ステップと、
前記配線基板の前記接地用配線パターンと前記弾性体とを導通させるステップと、
を含み、
前記電極形成ステップでは、円環状の前記圧電体を直径方向に横断する直線によって分割される円弧状の二つの円弧状領域のそれぞれに、同じ数の前記円環扇形の電極を当該直線に対して線対称となるように形成し、
前記電極除去ステップでは、前記圧電体の表裏両面を研磨して、当該圧電体の表裏両面を平坦化するとともに、前記電極を除去し、
前記配線基板接着ステップでは、前記基材の一主面に、二つの前記円弧状領域に対面する形状の二つの駆動用配線パターンと、二つの前記円弧状領域に対面しない形状の接地用配線パターンとが形成された配線基板を前記圧電素子に接着して、二つの前記駆動用配線パターンのそれぞれを、二つの前記円弧状領域に個別に対面させるとともに、前記接地用電極を、前記圧電素子において分極されていない領域に対面させる、
ことを特徴とするステーターの製造方法。
【発明の詳細な説明】
【技術分野】
【０００１】
本発明は、ステーター、モーター、およびステーターの製造方法に関する。
【背景技術】
【０００２】
モーターは、ステーターとローターとで構成される。そして、モーターには、進行波型超音波モーターがある。超音波モーターは、電磁石を用いたモーターと比べ、低速で高トルクが得られる、高速応答性、停止時におけるトルクの保持、静粛性、磁気ノイズが発生しない、などの特徴を有している。
【０００３】
一般的な超音波モーターのステーターは、例えば、円環状の弾性体の表裏一方の端面に、圧電素子が接着剤によって貼着された構造を有する。弾性体の表裏他方の端面は、普通、放射方向に多数のスリットが等角度間隔に形成されて、櫛歯状に形成されている。
【０００４】
超音波モーターの圧電素子は、円環状の圧電体の表裏両面に円環扇形の電極が形成された構造を有している。圧電体の表裏一方の面には、円周を所定角度毎に分割した環状扇形の複数の駆動用電極が形成されており、圧電体の表裏他方の面には、表裏一方の面に形成された複数の駆動用電極の形成領域に対面する接地用電極が形成されている。接地用電極は、普通、円環状に形成されている。また、圧電体は、駆動用電極の形成位置で分極されており、その分極方向は、円周に沿って交互に反対方向となっている。なお、駆動用電極と接地用電極は、分極処理において使用されたものであり、超音波モーターを駆動する際には、その分極処理に用いた電極を用いている。
【０００５】
そして、接地用電極と、複数の駆動用電極のそれぞれの間に、所定の周波数の電圧信号を所定の位相差で印加すると、各駆動用電極の形成領域に定在波が発生し、その定在波が合成されて、ステーターに円周方向の進行波が発生する。その進行波が、弾性体において、櫛歯が形成されている側の端面に積層されているローターに摩擦力を介して伝達され、ローターが回転する。なお、超音波モーターの基本的な構造や原理については以下の非特許文献１や２に記載されている。
【先行技術文献】
【非特許文献】
【０００６】
【非特許文献１】新和商事株式会社、”超音波モーターカタログ”、[online]、[平成３１年１月２５日検索]、インターネット＜ＵＲＬ：http://www.shinwa-syoji.com/others/img/motor.pdf＞
【非特許文献２】公益社団法人日本セラミックス協会、”セラミックスアーカイブズ「超音波モーター」”、[online]、[平成３１年１月２５日検索]、インターネット＜ＵＲＬ：http://www.ceramic.or.jp/museum/contents/pdf/2007_6_02.pdf＞
【発明の概要】
【発明が解決しようとする課題】
【０００７】
超音波モーターを構成する圧電素子は、普通、環状扇形の分極領域を有する円環状の圧電体の表裏両面に各分極領域に駆動信号を印加するための電極が設けられた構造を有する。そして、この電極は、圧電体を分極する際に用いられたものであり、従来の超音波モーターでは必須の構成となっている。そして、電極は、導電ペーストを印刷したり、金属をメッキしたりすることで形成された厚膜である。したがって、電極は、場所に応じて、厚さにバラツキがある。そのため、弾性体と圧電体とを接着剤を用いて貼り合わせると、電極と弾性体との間に介在する接着層の厚さに差が生じる可能性がある。弾性体と圧電素子との間に気泡が混入する可能性もある。圧電素子と弾性体との層間において、接着剤が厚かったり、気泡が混入したりした箇所では、圧電素子にて発生した振動が弾性体に伝達し難くなり、圧電素子から弾性体への振動伝達が不均一となる。
【０００８】
そこで本発明は、圧電素子の振動が均一に弾性体に伝達されるステーター、そのステーターを用いたモーター、およびステーターの製造方法を提供することを目的としている。
【課題を解決するための手段】
【０００９】
上記目的を達成するための本発明の一態様は、平板状の圧電体に環状扇形の複数の分極領域が円環状に配置されてなる圧電素子が、金属からなる弾性体と、シート状の基材の一主面に配線パターンが形成されてなる配線基板との間に狭持された状態で積層されてなるステーターであって、
前記複数の分極領域は、円環状に配置された領域を直径方向に横断する直線によって分割される二つの円弧状領域のそれぞれに、同じ数となるように、当該直線に対して線対称に配置され、
前記圧電体の表裏両面には電極が形成されておらず、
前記弾性体は、円環状で、表裏一方の面に放射方向に等角度間隔で複数のスリットが形成されているとともに、表裏他方の面が、前記圧電素子における円環状の前記分極領域の配置領域に接着剤の層を介して積層され、
前記配線基板は、前記基材において、前記圧電素子に積層される側の面に前記配線パターンが形成されてなり、
前記配線パターンは、二つの前記円弧状領域に対面する二つの駆動用配線パターンと、いずれの分極領域にも対面しない接地用配線パターンとからなり、
前記接地用配線パターンと前記弾性体とが導通されてなる、
ことを特徴とするステーターとしている。
【００１０】
前記圧電体は、円環状で、
前記配線基板の基材は、円環の一部が放射外方向に突出する形状に形成され、
前記駆動用配線パターンは、前記円弧状領域に対面しつつ、前記基材において放射方向に突出する領域にて前記放射外方向に突出する形状を有し、
前記接地用電極は、前記基材において放射方向に突出する領域にて放射外方向に突出する形状を有している、
ことを特徴とするステーターとすることもできる。
【００１１】
前記圧電体の表裏両面が研磨されているステーターとしてもよい。さらには、前記配線基板は、駆動信号用の前記二つの配線パターンの端部間の領域に環状扇形の配線パターンが形成されているステーターとすることもできる。
【００１２】
本発明のその他の態様は、上記いずれかに記載のステーターと、前記弾性体において前記スリットが形成されている面に接触した状態で配置されるローターとを備えたモーターである。
【００１３】
本発明の範囲には、平板状の圧電体に環状扇形の複数の分極領域が円環状に配置されてなる圧電素子が、金属からなる弾性体と、シート状の基材の一主面に配線パターンが形成されてなる配線基板との間に狭持された状態で積層されてなるステーターの製造方法も含まれており、当該製造方法は、
圧電体の表裏一方の面に、複数の円環扇形の電極を円環状に並べて形成するとともに、当該圧電体の表裏他方の面に、前記複数の円環扇形の電極が形成される円環状の領域に対面する円環状の電極を形成する電極形成ステップと、
前記複数の円環扇形の電極のそれぞれと、前記円環状の電極との間に電界を印加して前記円環扇形の電極の形成領域を分極させる分極ステップと、
前記複数の円環扇形の電極と前記円環状の電極とを除去して前記圧電素子を得る電極除去ステップと、
前記圧電素子の表裏一方の面に前記弾性体を積層して接着する弾性体接着ステップと、
前記圧電素子の表裏他方の面に前記配線基板を積層して接着する配線基板接着ステップと、
前記配線基板の前記接地用配線パターンと前記弾性体とを導通させるステップと、
を含み、
前記電極形成ステップでは、円環状の前記圧電体を直径方向に横断する直線によって分割される円弧状の二つの円弧状領域のそれぞれに、同じ数の前記円環扇形の電極を当該直線に対して線対称となるように形成し、
前記電極除去ステップでは、前記圧電体の表裏両面を研磨して、当該圧電体の表裏両面を平坦化するとともに、前記電極を除去し、
前記配線基板接着ステップでは、前記基材の一主面に、二つの前記円弧状領域に対面する形状の二つの駆動用配線パターンと、二つの前記円弧状領域に対面しない形状の接地用配線パターンとが形成された配線基板を前記圧電素子に接着して、二つの前記駆動用配線パターンのそれぞれを、二つの前記円弧状領域に個別に対面させるとともに、前記接地用電極を、前記圧電素子において分極されていない領域に対面させる、
ことを特徴とするステーターの製造方法としている。
【発明の効果】
【００１４】
本発明によれば、圧電素子の振動が均一に弾性体に伝達されるステーター、そのステーターを用いたモーター、およびステーターの製造方法が提供される。なお、その他の効果については、以下の記載で明らかにする。
【図面の簡単な説明】
【００１５】
【図１】従来例に係るステーターを一方向から見たときの斜視図である。
【図２】従来例に係るステーターを他の方向から見たときの斜視図である。
【図３】従来例に係るステーターの製造方法を示す図である。
【図４】本発明の実施例に係るステーターを一方向から見たときの斜視図である。
【図５】実施例に係るステーターを他の方向から見たときの斜視図である。
【図６】実施例に係るステーターの製造方法を示す図である。
【発明を実施するための形態】
【００１６】
本発明の実施例について、以下に添付図面を参照しつつ説明する。なお、以下の説明に用いた図面において、同一又は類似の部分に同一の符号を付して重複する説明を省略することがある。図面によっては説明に際して不要な符号を省略することもある。
＝＝＝実施例について＝＝＝
本発明の実施例に係るステーターは、進行波型超音波モーター用のステーター（以下、ステーターと言うことがある）であり、円環状の圧電体に円環状の弾性体を積層させた構造を有する。そして、実施例に係るステーターは、従来のステーターと同様に、平板状の圧電体に、環状に配置されてなる環状扇形の複数の分極領域が形成されてなる圧電素子を有しているものの、圧電素子と弾性体との間に介在する接着層の厚さが均一となる構造を備えている。以下では、円環状の圧電体を有する従来例に係るステーターの構造、製造方法、および問題点について詳しく説明し、その上で、本発明の実施例に係るステーターについて、より詳しく説明する。
＝＝＝従来例に係るステーター＝＝＝
＜構造＞
図１と図２とに、従来例に係るステーター１０１を示した。ステーター１０１は、円環状の圧電体２が、分極処理されてなる圧電素子１１０と、圧電体２と同軸に積層されてなる円環状の金属製弾性体３とを備えている。ここで、圧電体２の外形となる円環の軸１００方向を上下方向とするとともに、圧電体２の下方に弾性体３が積層されていることとして、上下の各方向を規定すると、図１（Ａ）、および図１（Ｂ）は、それぞれ、ステーター１０１を上方から見たときの斜視図、および上方から見たときの分解斜視図を示している。また、図２（Ａ）、および図２（Ｂ）は、それぞれ、ステーター１０１を下方から見たときの斜視図、および分解斜視図を示している。
【００１７】
図１（Ａ）、図２（Ａ）に示したように、圧電体２の上面に、シート状の基材１４１の一主面に配線パターン（１４２〜１４４）が形成されてなる配線基板１０４が積層されている。配線基板１０４は、外部の駆動回路からの駆動信号を圧電素子１１０に印加するための配線部品であり、ここに示した従来例に係るステーター１０１では、配線基板１０４として、ＦＰＣ（Flexible Printed Circuits）を用いている。ＦＰＣからなる配線基板（以下、ＦＰＣ１０４と言うことがある）は、例えば、柔軟性のある樹脂製フィルムからなる基材１４１の一主面に導電材からなる配線パターン（１４２〜１４４）が形成された構造を有する。
【００１８】
また、図１（Ａ）、図１（Ｂ）に示したように、圧電素子１１０の上面には、環状扇形の複数の駆動用電極１１が、圧電体２の円環形状に沿って形成されている。また、図２（Ｂ）に示したように、圧電体２の下面には、円環状の接地用電極１２が形成されている。駆動用電極１１、および接地用電極１２は、圧電素子１１０を駆動する際に外部回路に接続される電極であるとともに、圧電素子１１０の製造過程において、圧電体２を分極する分極処理に用いられた電極でもある。なお、分極処理では、圧電体２は、上面に形成されている複数の駆動用電極１１のそれぞれと、接地用電極１２との間に、上方から下方、あるいは下方から上方に向かう電界が印加される。それによって、圧電体２において、それぞれの駆動用電極１１が形成されている環状扇形の各領域が、分極領域として、上方から下方に向かう方向、あるいは下方から上方に向かう方向に分極される。また、分極処理では、互いに隣接する分極領域の分極方向が互いに逆方向となるように分極する。なお、図１（Ａ）、および図１（Ｂ）では、分極方向が同じ分極領域に形成されている駆動用電極１１同士を、同じ種類のハッチングで示した。
【００１９】
また、円環状の圧電体２を、直径方向に横断する直線２００によって、円環を二分割した二つの領域に分割したとき、各領域に同じ数の駆動用電極１１が当該直線２００に対して線対称となるように形成されている。そして、図１に示した例では、１０個の駆動用電極１１が円弧状に配置されて、その１０個一組の駆動用電極１１が、上記直線２００に対して線対称となるように形成されている。そして、１０個一組の駆動用電極１１のそれぞれが配置されている二つの領域を円弧状領域（２１、２２）として、各円弧状領域（２１、２２）にある１０個の駆動用電極１１は、銀ペーストなどの導電材が円弧状に塗布されてなる導通パターン２３によって互いに接続されている。
【００２０】
また、圧電体２において、上記二つの円弧状領域（２１、２２）を仕切る直線２００上で、互いに１８０゜の角度となる二つの位置には、円環扇状の分極されていない領域がある。そして、この分極されていない領域にも駆動用電極１１とは異なる環状扇形の電極（以下、補助電極１３と言うことがある）が形成されている。図１では、補助電極１３を網目のハッチングで示した。なお、図１（Ａ）に示したように、二つの補助電極１３の一方は、圧電体２の上面に露出し、他方は、ＦＰＣ１０４の下方に配置されている。
【００２１】
ＦＰＣ１０４には、外部回路に接続される三つの配線パターン（１４２〜１４４）が平行となるように形成されており、両端の二つの配線パターン（１４２、１４４）からは、それぞれ、異なる位相の駆動信号が出力され、中央の配線パターン１４３は接地される。ＦＰＣ１０４の各配線パターン（１４２〜１４４）は、例えば、厚さ方向にのみ導電性を有する異方導電性接着剤により圧電体２の上面に接着されている。ＦＰＣ１０４の三つの配線パターン（１４２〜１４４）のうち、両端の二つの配線パターン（以下、駆動用配線パターン（１４２、１４４）と言うことがある）は、一つの補助電極１３に隣接する二つの駆動用電極１１ａのそれぞれに接続されている。それによって、ＦＰＣ１０４における二つの駆動用配線パターン（１４２、１４４）の一方の駆動用配線パターン１４２が、二つの円弧状領域（２１、２２）の一方の円弧状領域２１に形成されている駆動用電極１１の全てに接続され、他方の駆動用配線パターン１４４が、他方の円弧状領域２２に形成されている駆動用電極１１の全てに接続される。
【００２２】
そして、圧電素子１１０を駆動させるためには、圧電体２の下面を接地するとともに、上面の二つの円弧状領域（２１、２２）のそれぞれに形成されている駆動用電極１１に対し、位相が９０゜ずれた駆動信号を印加する必要がある。ここに示した従来例に係るステーター１０１では、図２（Ａ）において点線の枠で示した、弾性体３の側面から圧電体２の上面周縁に至る領域２０１に塗布された、銀ペーストなどの導電材により、金属製の弾性体３とＦＰＣ１０４における中央の配線パターン（以下、接地用配線パターン１４３と言うことがある）とが接続されている。それによって、接地されているＦＰＣ１０４における接地用配線パターン１４３と弾性体３の下面とが接続されて当該弾性体３が接地され、弾性体３の下面と接着されている圧電素子１１０の下面に形成されている接地用電極１２が接地される。
【００２３】
なお、図２（Ａ）、図２（Ｂ）に示したように、弾性体３の下面には、放射方向に多数のスリット３１が等角度間隔に形成されて、櫛歯状に形成されている。圧電素子１１０が外部回路からの駆動信号によって駆動されると、圧電素子１１０の振動が弾性体３に伝達し、弾性体３の下面に円周方向の進行波が発生する。弾性体３の下面にローターを接触させた状態で配置して超音波モーターを構成すれば、弾性体３の下面に発生した進行波が摩擦力を介してローターに伝達されてローターが回転する。
＜製造方法＞
次に、図１、図２に示した従来例に係るステーター１０１の製造方法について説明する。図３に、従来例に係るステーター１０１の製造手順を示した。まず、図３（Ａ）に示したように、円環状の圧電体２の表裏一方の面に、銀ペーストなどの導電材を印刷したり、マスクを用いて、金などの金属をスパッタリングによって形成したりして、図１に示した駆動用電極１１に対応する円環扇状の複数の電極（以下、駆動用電極１１と言うことがある）を形成する。図３に示した例では、２０個の環状扇形の駆動用電極１１を形成している。また、図３（Ｂ）に示したように、圧電体２の表裏他方の面には、円環状の電極（以下、接地用電極１２と言うことがある）を形成する。なお、接地用電極１２は、円環状でなくてもよく、二つの円環状領域（２１、２２）に対応させて、圧電体２の下面に、円弧状に二つの領域に形成してもよい。
【００２４】
そして、駆動用電極１１と円環状の接地用電極１２との間に電界を印加し、圧電体２における、それぞれの駆動用電極１１の形成領域を分極させる。このとき、図３（Ａ）においてハッチングの種類が異なる駆動用電極１１の形成領域には、極性が異なる電界を印加する。なお、図１に示した補助電極１３に対応する電極（以下、補助電極１３と言うことがある）の形成領域には電界を印加せず、この領域は分極させない。以下では、圧電体２において、駆動用電極１１が形成されている面を上面とする。
【００２５】
次に、図３（Ｃ）に示したように、圧電体２において、補助電極１３を通る直線２００を境界にして互いに線対称となる、上記の二つの円弧状領域（２１、２２）のそれぞれに形成されている１０個一組の駆動用電極１１の上面に銀ペーストを印刷するなどして、円弧状の導通パターン２３を形成する。それによって、各円弧状領域（２１、２２）のそれぞれに形成されている１０個一組の駆動用電極１１が接続され、圧電素子１１０が完成する。
【００２６】
そして、図３（Ｄ）に示したように、圧電素子１１０の下面に環状の金属製弾性体３を接着する。また、圧電素子１１０の上面にＦＰＣ１０４を接着する。このとき、駆動用配線パターン（１４２、１４４）が、二つの円弧状の電極（２１、２２）のそれぞれの端部に接触するようにＦＰＣ１０４を配置する。そして、接地用配線パターン１４３と弾性体３とを銀ペーストなどを用いて導通させる。このようにして、図１（Ａ）、図２（Ａ）に示した従来例に係るステーター１０１が完成する。
【００２７】
ところで、従来例に係るステーター１０１は、圧電体２を分極するときに用いた電極（１１、１２）を、駆動信号を印加するための電極（１１、１２）としても用いている。しかし、圧電体２と弾性体３とは接着剤によって接着されており、従来例に係るステーター１０１では、上述したように、圧電体２の下面に形成されている接地用電極１２の厚さにバラツキがあると、圧電体２の下面と弾性体３の上面との間に介在する接着剤の層の厚さにバラツキが生じ、圧電素子１１０から弾性体３への振動伝達が不均一となる。
＝＝＝実施例に係るステーター＝＝＝
＜構造＞
図４と図５とに、本発明の実施例に係るステーター１を示した。図４（Ａ）、および図４（Ｂ）は、それぞれ、ステーター１を上方から見たときの斜視図、および上方から見たときの分解斜視図を示している。また、図５（Ａ）、および図５（Ｂ）は、それぞれ、ステーター１を下方から見たときの斜視図、および分解斜視図を示している。
【００２８】
図４、および図５に示したように、実施例に係るステーター１は、下方から弾性体３、圧電素子１０が、この順に同軸となるように積層されている。そして、圧電素子１０の上面に、ＦＰＣ４が積層されている。圧電素子１０と弾性体３、および圧電素子１０とＦＰＣ４とは、従来例に係るステーター１０１と同様に、接着剤によって接着されている。
【００２９】
実施例に係るステーター１における圧電素子は、図中点線で示したように、従来例に係るステーター１０１の圧電素子１１０と同様に、円環扇状の複数の分極領域１５が形成されている。そして、実施例に係るステーター１における圧電素子１０は、直径方向の直線２００に対して線対称となる二つの円弧状領域（２１、２２）のそれぞれに、円環扇状の分極領域１５が、１０箇所ずつ形成されている。しかし、図４（Ａ）、図４（Ｂ）に示したように、圧電素子１０の上面には、駆動用電極１１が配置されておらず、図５（Ｂ）に示したように、圧電素子１０の下面には、接地用電極１２がない。
【００３０】
このように、実施例に係るステーター１の圧電素子１０は、従来例に係るステーター１０１の圧電素子１１０に対し、圧電体２の表裏に駆動用電極１１、および接地用電極１２が形成されていない点が異なっている。なお、各分極領域１５の分極方向は、従来例に係るステーター１０１と同様である。
【００３１】
図４（Ａ）、図４（Ｂ）、図５（Ｂ）に示したように、ＦＰＣ４の基材４１は、円環状の圧電体２の上面を覆う円環の一部に、放射外方向に矩形状に突出する領域が一体的に形成された平面形状を有する。基材４１における圧電体２側の面には、圧電体２における二つの円弧状領域（２１、２２）に対面する円弧の一端が、基材４１において、矩形状に突出する領域に形成されて放射外方向に突出する直線に連続する形状の二つの駆動用配線パターン（４２、４４）と、基材４１における矩形状の領域に放射外方向に直線状に突出する接地用配線パターン４３とが形成されている。
【００３２】
なお、本実施例では、接地用配線パターン４３の放射内方向側の端部は、基材４１における円環状の領域において、二つの駆動用配線パターン（４２、４４）の端部同士が対向する環状扇形の領域に沿う形状に形成されている。なお、接地用配線パターン４３は、いずれの分極領域１５にも対面していない。
【００３３】
なお、基材４１の円環状の領域において、接地用配線パターン４３に対する反対側の領域には、駆動用配線パターン（４２、４４）や接地用配線パターン４３とは別に、独立した環状扇形の配線パターン（以下、補助配線パターン４５と言うことがある）が形成されている。それによって、圧電素子１０が接着される基材４１の円環状の領域は、各配線パターン（４２〜４５）間に形成される狭い間隙を除けば、一様の厚さとなる。
【００３４】
そして、実施例に係るステーター１では、図５（Ａ）において点線の枠で示した領域２０１に、銀ペーストなどの導電材が塗布されており、この導電材により、接地用配線パターン４３と、金属製の弾性体３とが導通している。それによって、外部回路によって接地されているＦＰＣ４における接地用配線パターン４３を介して弾性体３の下面が接地され、弾性体３の上面に接している圧電体２の下面が接地されている。
【００３５】
このように、実施例に係るステーター１では、圧電素子１０の上面と下面のいずれにも電極が形成されておらず、圧電素子１０の表裏両面が平坦面になっている。そのため、圧電素子１０と弾性体３との間、および圧電素子１０とＦＰＣ４との間に介在する接着剤の層の厚さが均一になり、圧電素子１０に発生させた振動が均一に弾性体３に伝達される。
＜製造方法＞
次に、図４と図５とに示した実施例に係るステーター１の製造方法について説明する。図６に、実施例に係るステーター１の製造手順を示した。まず、図６（Ａ）に示したように、従来例に係るステーター１０１と同様にして、円環状の圧電体２の表裏一方の面に、銀ペーストを印刷したり、マスクを用いて選択的にスパッタリングをしたりして、円環扇状の複数の電極１１を形成する。また、圧電体２の表裏他方の面には、図６（Ｂ）に示したように、円環状の電極１２を形成する。そして、図６（Ａ）に、二種類の斜線のハッチングで示した電極１１と円環状の電極１２との間に電界を印加して、円環扇状の電極１１が形成されている領域を分極させる。このとき、図中で、斜線のハッチングの種類が異なる電極１１には、極性が異なる電界を印加する。それによって、圧電体２に複数の環状扇形の分極領域１５が形成される。なお、ここまでの手順は、図３に示した従来例に係るステーター１０１の製造方法と同様である。しかし、実施例に係るステーター１では、図６（Ｃ）、図６（Ｄ）に示したように、圧電体２を分極させた後に、圧電体２の表裏両面に形成した電極（１１、１２）を除去する。それによって、表裏両面のいずれにも電極（１１、１２）が形成されていない圧電素子１０が得られる。
【００３６】
圧電体２に形成した電極を除去するためには、例えば、銀ペーストの電極であれば、溶剤を用いて除去することができる。また、スパッタリングによって形成した電極であれば、逆スパッタリングによって除去することができる。
【００３７】
ところで、圧電体２は、分極に際して電界が印加されると、その分極の方向に応じ、厚さ方向に収縮あるいは膨張する。すなわち、圧電素子１０を得る際の分極処理において、圧電体２の表面にうねりが生じている場合がある。また、圧電体２における分極領域１５とそれ以外の領域との間に極めて小さな段差が生じている可能性もある。そこで、本発明の実施例に係るステーター１では、圧電体２の表裏両面を研磨することで電極（１１、１２）を除去し、分極処理によって生じた圧電体２の表面と裏面と（以下、表層と言うことがある）に生じた極めて小さな変形も平坦に均している。なお、圧電体２は、粉体状の圧電材料を成形して焼結させたセラミックスである。したがって、圧電体２の表層が研磨されていれば、その表層に存在する粉体粒子は、表層に露出する側が平坦になっている。すなわち、電子顕微鏡などを用いて圧電体２の断面を観察すれば、研磨処理の有無を判別することができる。
【００３８】
次に、図６（Ｅ）に示したように、圧電体２の表裏一方の面に環状の金属製弾性体３を接着し、圧電体２の表裏他方の面にＦＰＣ４を接着する。このとき、駆動用配線パターン（４２、４４）が円弧状領域（２１、２２）に形成されている全ての分極領域１５を覆いつつ、接地用配線パターン４３がいずれの分極領域１５とも対面しないように位置合わせをする。なお、ＦＰＣ４と圧電体２とを正確に位置合わせするためには、例えば、圧電体２の側面とＦＰＣ４の基材４１の双方に位置合わせ用のマークを形成しておけばよい。あるいは、分極領域１５が形成されていない角度範囲を示すマークを圧電体２の側面などに設け、接地用配線パターン４３における円環扇状の部分が、そのマークが示す角度範囲内に配置されるように、ＦＰＣ４と圧電体２とを積層してもよい。
【００３９】
そして、以上の手順で、ＦＰＣ４と圧電体２とを積層して接着したならば、ＦＰＣ４の接地用配線パターン４３の下面と弾性体３とを銀ペーストなどを用いて導通させる。このようにして、図５（Ａ）、図６（Ａ）に示した実施例に係るステーターを完成させる。なお、実施例に係るステーター１の弾性体３の下面に、当該下面と接触する面を有するローターを配置すれば、進行波型超音波モーターになる。
＝＝＝その他の実施例＝＝＝
上記実施例に係るステーター１のＦＰＣ４には、二つの駆動用電極パターン（４２、４４）の端部間の領域に補助配線パターン４５が形成されていたが、ＦＰＣ４に補助配線パターン４５が形成されていなくてもよい。なお、ＦＰＣ４に補助配線パターン４５を設けない場合では、例えば、ＦＰＣ４と圧電体２とを接着する際にＦＰＣ４の上面が押圧された場合、二つの駆動用電極パターン（４２、４４）の端部間の領域が凹み易くなる。そのため、その凹んだ領域の周囲の分極領域１５とＦＰＣ４との間で、接着層の厚さにばらつきが生じる可能性がある。分極領域１５において接着層の厚さのばらつきが生じれば、圧電素子１０を駆動する際に、分極領域１５に電界が均一に印加されず、圧電振動にバラツキが生じるおそれがある。
【００４０】
上記実施例に係るステーター１では、弾性体３と接地用配線パターン４３とを弾性体３の側面に配置した導電材によって接続していたが、例えば、スルーホールを介して弾性体３の上面と接地用配線パターン４３の下面とを接続してもよい。いずれにしても、接地用配線パターン４３と弾性体３とが導通されていればよい。
【００４１】
上記実施例に係るステーター１では、圧電素子１０は、円環状の圧電体２に複数の円環扇形の複数の分極領域１５が円環状に配置された構造を有していたが、圧電体２の平面形状は、円環状でなくてもよい。圧電素子１０は、例えば、円板などの平板状の圧電体２に複数の円環扇形の複数の分極領域１５が円環状に配置されたものであってもよい。
【符号の説明】
【００４２】
１，１０１  ステーター、２  圧電体、３  弾性体、４，１０４  配線基板（ＦＰＣ）、１０、１１０  圧電素子、１１，１２  電極、１５  分極領域、２１，２２  円弧状領域、２３  導通パターン、４１，１４１  基材、４２，４４，１４２，１４４  駆動用配線パターン、４３，１４３  接地用配線パターン、１００  軸、２００  直線
【図１】
2020127348.tif 000003
【図２】
2020127348.tif 000004
【図３】
2020127348.tif 000005
【図４】
2020127348.tif 000006
【図５】
2020127348.tif 000007
【図６】
2020127348.tif 000008